(57)【要約】【課題】削除対象コンテンツの選択精度の向上を図ると共に、削除対象コンテンツの選択に要する時間を短縮する。【解決手段】コンテンツ削除制御部２０は、ＨＤＤ１７に記録された録画コンテンツを管理するための個別情報を集めたコンテンツ管理テーブルの各項目から、リモコン１２操作によるユーザからの入力に従って、削除対象となる録画コンテンツを検索するために用いる項目を選択する削除検索項目設定部と、選択された項目内の並び順を入力に従って設定する優先順位設定部と、ＨＤＤ１７に記録された録画コンテンツについて、選択された項目を設定された並び順で並べ替えた削除候補リストを作成する削除候補リスト作成部と、削除候補リストに基づいて録画コンテンツを削除する削除実行部を備える。【選択図】図１
2010268200.tif 000002
【特許請求の範囲】
【請求項１】
録画コンテンツを記録するための蓄積部を有する記録再生装置であって、
外部からの入力に従い、前記蓄積部に記録された録画コンテンツを管理するための個別情報の各項目から、削除する録画コンテンツを検索するために用いる項目を選択する削除検索項目設定部と、
外部からの入力に従い、前記削除検索項目設定部で選択された項目内の並び順を設定する優先順位設定部と、
前記蓄積部に記録された録画コンテンツについて、前記選択された項目を前記優先順位設定部で設定された並び順で並べ替えた削除候補リストを作成する削除候補リスト作成部とを備えることを特徴とする記録再生装置。
【請求項２】
蓄積部の容量が所定値又は録画中のコンテンツ容量よりも少ない場合に、削除候補リスト作成部が作成した削除候補リストに基づいて、前記蓄積部に記録された録画コンテンツを削除する削除実行部を備えることを特徴とする請求項１記載の記録再生装置。
【請求項３】
削除実行部が録画コンテンツを削除する前に、削除候補リスト作成部が作成した削除候補リストに基づいて削除する録画コンテンツに関する情報を通知する削除通知部を備えることを特徴とする請求項２記載の記録再生装置。
【請求項４】
削除実行部は、削除通知部による通知後に録画コンテンツを自動的に削除するか、当該通知後に外部から応答があった場合に録画コンテンツを削除するか、外部からの入力に従って設定を切り替えることを特徴とする請求項３記載の記録再生装置。
【請求項５】
請求項１から請求項４のうちのいずれか１項記載の記録再生装置を適用した放送受信装置。
【発明の詳細な説明】
【技術分野】
【０００１】
本発明は、受信したコンテンツを記録する記録再生装置及び放送受信装置に関するものである。
【背景技術】
【０００２】
放送局から配信されるテレビ放送の信号を受信して、テレビ放送に含まれるコンテンツを内蔵のＨＤＤ（Ｈａｒｄ  Ｄｉｓｋ  Ｄｒｉｖｅ）に録画すると共に、ＨＤＤに録画したコンテンツを再生してその映像をディスプレイに表示する記録再生装置は、従来、ＨＤＤのコンテンツ録画のための残容量がなくなると、それ以上コンテンツを録画できなくなってしまう。このため、録画開始前に、これから録画しようとするコンテンツの容量とＨＤＤの残容量とを比較して、ＨＤＤに録画したコンテンツの中から不要なコンテンツを削除しておく必要があった。また、録画途中でＨＤＤの記録容量が満たされてしまった場合には、記録再生装置の録画動作が中断されてしまうことがあった。
【０００３】
このように記録再生装置のＨＤＤは記録容量に上限があるため、記録のための容量が不足すると、ユーザがＨＤＤの残容量と録画しようとするコンテンツの容量を比較して、消去しても問題のないコンテンツを録画前に予め調べて削除する必要があった。しかしながら、ＨＤＤの容量が少なくなった時点では、ＨＤＤに録画されたコンテンツが膨大な数に及ぶこととなるため、この中から消去しても問題のない録画コンテンツを探すのは非常に時間と労力を要するものである。
【０００４】
この問題を解決するために、特許文献１のデジタル放送対応受信装置では、ユーザに録画対象のコンテンツに対して保持期間（視聴可能期間）を設定させておき、保持期間を満了した録画コンテンツをＨＤＤから自動的に削除していた。また、特許文献２のハードディスクレコーダでは、録画コンテンツの再生回数及び録画日時の情報を管理するコンテンツ管理手段を備え、録画動作中にＨＤＤの記録残容量が所定値以下になると、コンテンツ管理手段がユーザにとって削除すべき優先度が高いコンテンツとして再生回数が少なく録画日時が古い録画コンテンツを選択して、自動削除していた。
【先行技術文献】
【特許文献】
【０００５】
【特許文献１】特開２００８−９８７２１号公報
【特許文献２】特開２００４−２０８２０４号公報
【発明の概要】
【発明が解決しようとする課題】
【０００６】
従来の記録再生装置は以上のように構成されているので、削除条件に従って録画コンテンツを自動的に削除することで、録画動作が途中で停止又は中止されてしまうことを防いでいた。しかしながら、特許文献１ではユーザが設定した保持期間に従ってＨＤＤ内の録画コンテンツを自動削除するが、削除対象の録画コンテンツが増えた場合、保持期間が満了間際になりユーザに次々に削除予告通知がされても、保持期間の条件のみで削除候補コンテンツを選定しているために、他の削除候補コンテンツと比較した場合にどちらを優先して削除するべきか即時に判断がつかないケースが想定される。これにより、ユーザにとって削除すべき優先度の低いコンテンツが先に自動的に削除されてしまう事態が発生しうるという課題があった。
【０００７】
特許文献１では録画コンテンツの削除条件が保持期間のみであるのに対して、特許文献２では録画コンテンツの再生回数及び録画日時の削除条件を設けているが、特許文献２の削除フローは一意的に決められており、ユーザが削除したい録画コンテンツが必ずしもこのフローによって選択できるとは限らないという課題があった。
【０００８】
この発明は、上記のような課題を解決するためになされたもので、ユーザが録画コンテンツを削除する際の判断基準に自由度を持たせることによって、削除対象コンテンツの選択精度の向上を図ると共に、削除対象コンテンツの選択に要する時間を短縮することを目的とする。
【課題を解決するための手段】
【０００９】
この発明に係る記録再生装置は、外部からの入力に従い、蓄積部に記録された録画コンテンツを管理するための個別情報の各項目から、削除する録画コンテンツを検索するために用いる項目を選択する削除検索項目設定部と、外部からの入力に従い、削除検索項目設定部で選択された項目内の並び順を設定する優先順位設定部と、蓄積部に記録された録画コンテンツについて、選択された項目を優先順位設定部で設定された並び順で並べ替えた削除候補リストを作成する削除候補リスト作成部とを備えるようにしたものである。
【発明の効果】
【００１０】
この発明によれば、外部からの入力に従って、削除する録画コンテンツを検索するために用いる項目を、設定された並び順で並び替えた削除候補リストを作成するようにしたので、削除の判断基準となる項目を複数設けて、ユーザがこれら項目の優先度を自由に組み合わせて設定できる。このため、ユーザ自身が録画した膨大な数に及ぶ録画コンテンツの中から抽出する削除対象コンテンツの選択精度を高め、かつ、短時間で抽出することが可能となる。
【図面の簡単な説明】
【００１１】
【図１】この発明の実施の形態１に係る蓄積機能内蔵受信機の構成を示すブロック図である。
【図２】実施の形態１によるコンテンツ管理テーブルの構成を示す説明図である。
【図３】図１に示す制御部が備えるコンテンツ削除制御部の構成を示すブロック図である。
【図４】実施の形態１によるコンテンツ検索条件画面の構成を示す説明図である。
【図５】実施の形態１によるコンテンツ削除候補画面の構成を示す説明図である。
【図６】この発明の実施の形態２に係るコンテンツ削除制御部の動作を示すフローチャートである。
【発明を実施するための形態】
【００１２】
実施の形態１．
図１は、この発明の実施の形態１に係る蓄積機能内蔵受信機１１の構成を示すブロック図である。本実施の形態では蓄積機能内蔵受信機の構成例として、ＨＤＤを内蔵するＩＰ−ＳＴＢ（Ｉｎｔｅｒｎｅｔ  Ｐｒｏｔｏｃｏｌ−Ｓｅｔ  Ｔｏｐ  Ｂｏｘ）を用いる。
ＨＤＤ内蔵ＩＰ−ＳＴＢである蓄積機能内蔵受信機１１は、ネットワーク上のコンテンツ配信サーバ等からＦＴＴＨ（Ｆｉｂｅｒ  Ｔｏ  Ｔｈｅ  Ｈｏｍｅ）等によるアクセス網通信技術を利用したブロードバンド回線によって配信されるＩＰパケット化された映像データ、音声データ等のコンテンツを受信して、テレビ受像機等の外部の表示装置１１０に出力すると共に、内蔵のＨＤＤ１７に記録し再生する装置である。
【００１３】
蓄積機能内蔵受信機１１は、ユーザの操作入力を受け付けるリモコン１２、リモコン１２の操作信号を受信するリモコン受信部１３、コンテンツ配信サーバ等からのネットワークを接続するための端子であるＲＪ４５コネクタ１４、イーサネットインタフェース（イーサネットは登録商標）であるＰＨＹ部１５、受信したコンテンツの復調処理を行うメインＬＳＩ（Ｌａｒｇｅ  Ｓｃａｌｅ  Ｉｎｔｅｇｒａｔｉｏｎ）であるＡＶデコーダ部１６、復調したコンテンツを記録及び読み出し再生するＨＤＤ１７、表示装置１１０に接続するための外部装置接続用インタフェースであるＲＣＡ端子１８、リモコン１２の操作信号に従って各部へ指示を行う制御部１９から構成される。
【００１４】
リモコン１２は、蓄積機能内蔵受信機１１の電源オン／オフ、受信チャンネル選局、コンテンツの録画及び再生、その他各種メニューの諸設定を操作するための操作信号を送出するための機能を有する。リモコン１２はこれら各種操作をユーザから受け付けるための操作釦１２ａ（例えば方向釦、決定釦等）を供え、ユーザが操作釦１２ａを押下することで、釦設定に応じた操作信号を赤外線にて送出する。
リモコン受信部１３は、リモコン１２から送出された操作信号を受信して制御部１９へ出力する。
【００１５】
ＰＨＹ部１５は、ＬＡＮ（Ｌｏｃａｌ  Ａｒｅａ  Ｎｅｔｗｏｒｋ）ケーブルからＲＪ４５コネクタ１４を介して入力された映像、音声等のコンテンツを含むＩＰパケットデータをデジタルデータに変換する。
ＡＶデコーダ部１６は、制御部１９から出力された選局処理の情報を示す制御信号に従って、ユーザが選局したコンテンツを選択し、選択コンテンツのデジタルデータに対して復調処理を行って映像信号及び音声信号等の復調信号を生成する。ＡＶデコーダ部１６は、これらの復調信号をＨＤＤ１７、及びＲＣＡ端子１８を経由して表示装置１１０に出力する。
表示装置１１０は、ＲＣＡ端子１８経由で入力された映像信号を表示すると共に、音声信号を再生して、ユーザに視聴させる。
【００１６】
ＨＤＤ１７は、ＡＶデコーダ部１６にて復調された復調信号を、制御部１９の制御信号による指示に従ってコンテンツ録画する。また、ＨＤＤ１７は、制御部１９の制御信号による再生指示を受けると、録画コンテンツを読み出してＲＣＡ端子１８へ出力する。ＲＣＡ端子１８へ出力された録画コンテンツは、表示装置１１０により再生表示される。
【００１７】
制御部１９は、リモコン受信部１３から出力された操作信号に応じて、選局動作、録画／再生動作等の指示を示す制御信号を各部へ出力する。また、制御部１９は、ＨＤＤ１７の録画コンテンツの個別情報を、ＨＤＤ１７内のコンテンツ管理テーブルで管理する。図２は、ＨＤＤ１７が保持するコンテンツ管理テーブルの構成を示す説明図である。制御部１９は、ＨＤＤ１７にコンテンツの録画の実行を指示し、録画動作が完了する度にその録画コンテンツとその容量を対応付けてコンテンツ管理テーブルに記録させる。また、制御部１９は、録画コンテンツの再生を行う度に再生回数のカウント及び視聴日時の確認を行い、その再生回数と視聴日時を再生した録画コンテンツと関連付けてコンテンツ管理テーブルに記録させる。なお、蓄積機能内蔵受信機１１がメディア記録装置を備える構成の場合には、制御部１９が録画コンテンツをメディアに記録したか否かを監視して、コンテンツ管理テーブルでメディア記録履歴の情報を管理するようにしてもよい。
【００１８】
制御部１９は、このコンテンツ管理テーブルの個別情報に基づいて、削除候補の録画コンテンツを選出する。図３は、制御部１９が備えるコンテンツ削除制御部２０の構成を示すブロック図である。コンテンツ削除制御部２０は、録画コンテンツの削除条件を設定するための削除検索項目設定部２１及び優先順位設定部２２と、その条件に従って削除候補リストを作成する削除候補リスト作成部２３と、削除候補リストに基づいて録画コンテンツを削除する削除実行部２４と、削除する録画コンテンツについてユーザに通知を行う削除通知部２５とからなる。コンテンツ削除制御部２０内の各部は、ユーザの操作入力をリモコン１２を介して受け付けると共に、必要に応じてＡＶデコーダ部１６に指示を出して表示装置１１０に画面表示及び音声出力を行わせる。
【００１９】
削除候補の録画コンテンツは、コンテンツ削除制御部２０によって以下のように選出される。まず、ユーザがリモコン１２の操作釦１２ａを操作してコンテンツ削除設定の開始指示を与えると、リモコン受信部１３からその操作信号を受け付けた制御部１９において、コンテンツ削除制御部２０内の削除検索項目設定部２１がコンテンツ検索条件画面を表示装置１１０に表示させる。図４は、コンテンツ検索条件画面３０の一例を示す説明図である。コンテンツ検索条件画面３０において、コンテンツ容量３１、最終視聴日時３２、再生回数３３、メディア記録履歴３４の各項目は、コンテンツ管理テーブルの各項目に対応している。各項目３１〜３４は、ＨＤＤ１７の録画コンテンツ中、ユーザが削除しようと考える可能性が高いか否かを表す判断基準となるパラメータであり、ユーザ自身がこれらの各項目についてリモコン１２を操作して「有効」又は「無効」を入力し、削除検索項目設定部２１が検索項目設定３５の欄に有効又は無効を設定する。図４の例では、コンテンツ容量３１及び最終視聴日時３２の各項目が設定有効にされ、再生回数３３及びメディア記録履歴３４の各項目が設定無効にされている。なお、録画コンテンツを削除するための判断基準となる項目は、コンテンツ容量３１、最終視聴日時３２、再生回数３３、メディア記録履歴３４に限定されるものではなく、その他の項目を設けてもよい。
【００２０】
また、図４の各項目３１〜３４について、検索項目設定３５を有効とした場合には、続いて並び順３６の欄に項目内の並び順の優先順位を設定する。例えば、コンテンツ容量３１の項目であれば、録画コンテンツのコンテンツ容量が「大」又は「小」、最終視聴日時３２の項目であれば「最新」又は「古い」、再生回数３３の項目であれば録画コンテンツの再生回数が「多い」又は「少ない」、メディア記録履歴３４の項目であればメディアに記録「○」又は「×」がある。ユーザは、コンテンツ容量３１の検索項目設定３５を「有効」設定すると、続いて、その並び順３６についてリモコン１２を操作して「大」又は「小」を入力し、優先順位設定部２２が入力を受けて並び順３６の欄に大又は小を設定する。図４の例では、コンテンツ容量３１及び最終視聴日時３２の検索項目設定３５が「有効」に設定された後、それぞれ、コンテンツ容量３１の並び順３６に「大」、最終視聴日時３２の並び順３６に「古い」を選択している。
【００２１】
ユーザは、並び順３６の欄それぞれに優先順位の設定を行った後、リモコン１２を操作してコンテンツ検索条件画面３０上でカーソルを「適用」アイコン３７に移動させて、検索条件の設定を有効にするために操作釦１２ａを押下する。コンテンツ削除制御部２０がその操作信号を受け付けると、削除候補リスト作成部２３が各項目３１〜３４の検索項目設定３５及び並び順３６の検索条件を元に、ＨＤＤ１７内部に保存されている図２のコンテンツ管理テーブルを参照して、録画コンテンツの検索と抽出を行って削除候補リストを作成する。図５は、コンテンツ削除候補画面４０を示す説明図であり、ＨＤＤ１７の録画コンテンツについて、選択された項目（コンテンツ容量３１及び最終視聴日時３２）を選択された並び順（コンテンツ容量３１「大」及び最終視聴日時３２「古い」）で並べ替えた削除候補リストのうち、削除する優先順位４１で並べたコンテンツ名を表示している。
【００２２】
ユーザは、表示装置１１０に表示されたコンテンツ削除候補画面４０上でリモコン１２を操作して、操作釦１２ａを押下してカーソルを削除番号入力欄４２へ移動させて、削除する録画コンテンツの優先順位４１の番号を入力し、削除する録画コンテンツを決定する。コンテンツ削除制御部２０がその操作信号を受け付けると、削除実行部２４が該当する番号の録画コンテンツの削除指示をＨＤＤ１７へ出力して削除する。
【００２３】
なお、削除する前に録画コンテンツの内容を確認できるように構成してもよい。例えば、ユーザがリモコン１２を操作して図５の優先順位４１の欄のいずれかの番号を選択して操作釦１２ａを押下すると、その操作信号を受け付けた削除通知部２５がＡＶデコーダ部１６に対して画面表示の指示を出し、削除前に録画コンテンツの詳細情報を表示装置１１０に表示させる。
【００２４】
また、ＨＤＤ１７へのコンテンツ録画を実施する際、録画を実施しようとしているコンテンツの容量よりもＨＤＤ１７の残容量が少ない場合、削除通知部２５がＡＶデコーダ部１６に対してＨＤＤ１７の容量不足である旨を画面表示させる指示を出し、コンテンツ削除候補画面４０を参照するか否かを確認する入力画面を表示装置１１０に表示させる。ユーザは、この入力画面にてコンテンツ削除候補画面４０を確認する選択を行えば、図５のコンテンツ削除候補画面４０を閲覧することができる。このとき、コンテンツ削除候補画面４０上にて任意のコンテンツを選択すれば、削除実行部２４が該当する録画コンテンツを削除してＨＤＤ１７の容量不足を解消できる。
【００２５】
以上のように、実施の形態１によれば、蓄積機能内蔵受信機１１を、外部からの入力に従い、ＨＤＤ１７に記録された録画コンテンツを管理するための個別情報を集めたコンテンツ管理テーブルの各項目から、削除する録画コンテンツを検索するために用いる項目を選択する削除検索項目設定部２１と、外部からの入力に従い、削除検索項目設定部２１で選択された項目内の並び順を設定する優先順位設定部２２と、ＨＤＤ１７に記録された録画コンテンツについて、選択された項目を優先順位設定部２２で設定された並び順で並べ替えた削除候補リストを作成する削除候補リスト作成部２３とを備えるように構成した。このため、ＨＤＤ１７の録画コンテンツを削除するためのユーザの判断基準として、コンテンツ容量３１、最終視聴日時３２、再生回数３３、メディア記録履歴３４等の項目を設け、ユーザ自身がこれら項目内の並び順３６を自由に変更し、又は組み合わせて設定でき、さらにこの設定条件に従って作成した削除候補リストをコンテンツ削除候補画面４０として表示できる。これにより、蓄積機能内蔵受信機１１は、ユーザ自身が録画した膨大な数に及ぶ録画コンテンツの中から削除対象コンテンツを抽出する際の選択精度を高めることができ、かつ、短時間で抽出することが可能となる。
【００２６】
また、実施の形態１によれば、ＨＤＤ１７の残容量が録画を実施しようとしているコンテンツ容量よりも少ない場合に、削除候補リスト作成部２３が作成した削除候補リストに基づいて、ＨＤＤ１７に記録された録画コンテンツを削除する削除実行部２４を備えるように構成した。このため、ユーザ自身が設定した条件に基づいて、ＨＤＤ１７の録画コンテンツを削除実行部２４が自動的に削除することができる。
また、この削除実行部２４が録画コンテンツを削除する前に、削除候補リスト作成部２３が作成した削除候補リストに基づいて削除する録画コンテンツに関する情報を通知する削除通知部２５を備えるように構成した。このため、削除実行部２４の自動削除実行前にユーザに削除対象コンテンツを再確認する機会を与えることができ、検索項目設定３５及び並び順３６の設定だけでは特定しきれなかった判断基準漏れによる、ユーザの意図に反した録画コンテンツ削除を防ぐことが可能となる。
【００２７】
実施の形態２．
この実施の形態２に係る蓄積機能内蔵受信機の構成は、図１及び図３に示した上記実施の形態１に係る蓄積機能内蔵受信機１１の構成と同じであるため、以下の説明では図１及び図３を援用する。
ＨＤＤ１７が容量不足でありながら、録画実施前にＨＤＤ１７内の録画コンテンツの削除を行わずに録画を実施した場合、制御部１９がＨＤＤ１７の残容量不足を検出して、コンテンツ削除制御部２０により自動的に録画コンテンツの削除を実行する。自動削除する録画コンテンツの選出には、上記実施の形態１にて削除候補リスト作成部２３が作成した削除候補リストを利用し、削除実行部２４が削除候補リストのうち、削除の優先順位が高いものから順に削除を実行する。削除実行部２４は、録画を実施しようとしているコンテンツの容量が確保されるまで、削除の優先順位が高い録画コンテンツから順に自動削除を繰り返す。これにより、ＨＤＤ１７の残容量を確保して、録画コンテンツ削除のために中断することなく録画動作を継続するようにする。
【００２８】
この自動削除処理について、図６を用いて説明する。図６は、実施の形態２に係るコンテンツ削除制御部２０の動作を示すフローチャートである。
コンテンツの録画が実施されると、制御部１９がＨＤＤ１７の残容量を確認する（ステップＳＴ１）。現在録画中のコンテンツに対して残容量が十分確保できていれば（ステップＳＴ１“ＮＯ”）、そのまま録画を継続する。残容量が不足している場合には（ステップＳＴ１“ＹＥＳ”）、削除通知部２５が、上記実施の形態１にて作成した削除候補リストの優先順位が高い録画コンテンツについて、削除を開始する時間とコンテンツ名を示した削除通知画面を表示装置１１０に表示させる（ステップＳＴ２）。
【００２９】
ユーザが視聴中で、削除通知の内容を確認する場合は（ステップＳＴ３“ＹＥＳ”）、画面表示中の削除通知画面にて確認の操作釦１２ａを押下すれば、その操作信号を受け付けた制御部１９が削除の優先順位が高い録画コンテンツの詳細情報を画面表示させる。ユーザのリモコン１２操作に応じて、画面表示中の録画コンテンツを削除する場合には（ステップＳＴ４“ＹＥＳ）、削除実行部２４が録画コンテンツの削除を実行する（ステップＳＴ５）。ユーザのリモコン１２操作に応じて、画面表示中の録画コンテンツを削除しない場合には（ステップＳＴ４“ＮＯ”）、再びステップＳＴ２にて削除通知部２５が次に優先順位の高い録画コンテンツについて削除通知画面を表示させる。
【００３０】
ユーザが不在又はその表示を確認できない状況で、リモコン１２からの操作信号が受信されなければ（ステップＳＴ３“ＮＯ”）、削除実行部２４は画面表示中の録画コンテンツを削除する（ステップＳＴ５）。
【００３１】
最後に、制御部１９が再度ＨＤＤ１７の残容量を確認して、録画中のコンテンツの容量と比較する（ステップＳＴ６）。残容量が確保されていれば（ステップＳＴ６“ＹＥＳ”）、制御部１９がそのまま録画動作を継続させる。残容量不足の場合は（ステップＳＴ６“ＮＯ”）、再びステップＳＴ２に戻り、削除通知部２５が次に優先順位の高い録画コンテンツについて削除通知画面を表示させる。
【００３２】
なお、削除実行部２４による自動削除処理については、ユーザが処理の有効又は無効を削除実行部２４に対して設定することが可能とする。自動削除処理が有効に設定された場合には蓄積機能内蔵受信機１１は図６に示す処理を行えばよい。他方、自動削除処理が無効に設定された場合には、ステップＳＴ５において削除実行部２４は録画コンテンツを削除せず、ステップＳＴ２において削除通知部２５が削除候補リストの優先順位が高い録画コンテンツについて表示を行う注意喚起のみの動作とする。
【００３３】
以上のように、実施の形態２によれば、削除実行部２４を、ＨＤＤ１７の残容量が録画中のコンテンツ容量よりも少ない場合に、削除候補リスト作成部２３が作成した削除候補リストに基づいて、ＨＤＤ１７に記録された録画コンテンツを削除するように構成した。このため、録画実施前に不要となる録画コンテンツを予め削除する必要がなく、また、録画実施中にＨＤＤ１７の残容量が不足しても録画コンテンツ削除のために録画動作を中止又は中断することがない。
【００３４】
また、削除通知部２５を、削除実行部２４が録画コンテンツを削除する前に、削除候補リスト作成部２３が作成した削除候補リストに基づいて削除する録画コンテンツに関する情報を通知するように構成した。このため、上記実施の形態１と同様に、削除実行部２４の自動削除実行前にユーザに削除対象コンテンツを再確認する機会を与えることができ、検索項目設定３５及び並び順３６の設定だけでは特定しきれなかった判断基準漏れによる、ユーザの意図に反した録画コンテンツ削除を防ぐことが可能となる。
【００３５】
なお、上記実施の形態１，２に示す蓄積機能内蔵受信機１１のうち、リモコン１２、リモコン受信部１３、ＨＤＤ１７、制御部１９（コンテンツ削除制御部２０）を最低限備えた記録再生装置を、蓄積機能内蔵受信機１１から独立させ、別体で構成してもよい。
【符号の説明】
【００３６】
１１  蓄積機能内蔵受信機（放送受信装置）、１２  リモコン、１２ａ  操作釦、１３  リモコン受信部、１４  ＲＪ４５コネクタ、１５  ＰＨＹ部、１６  ＡＶデコーダ部、１７  ＨＤＤ（蓄積部）、１８  ＲＣＡ端子、１９  制御部、２０  コンテンツ削除制御部、２１  削除検索項目設定部、２２  優先順位設定部、２３  削除候補リスト作成部、２４  削除実行部、２５  削除通知部、３０  コンテンツ検索条件画面、３１  コンテンツ容量、３２  最終視聴日時、３３  再生回数、３４  メディア記録履歴、３５  検索項目設定、３６  並び順、３７  「適用」アイコン、４０  コンテンツ削除候補画面、４１  優先順位、４２  削除番号入力欄、１１０  表示装置。
【図１】
2010268200.tif 000003
【図２】
2010268200.tif 000004
【図３】
2010268200.tif 000005
【図４】
2010268200.tif 000006
【図５】
2010268200.tif 000007
【図６】
2010268200.tif 000008